(57)【要約】【課題】レールを吊設する作業が簡単且つ容易に行えるともに、レール吊設時に取り扱う部品数が少なくて済み、製作が容易で安価なレール取付け金具を提供する。【解決手段】レール取付け金具１を構成する同一の形状及び寸法の取付け金具２Ａ，２Ｂを、カーテンレールＡの両側上部に対して略１８０度反転した逆向き状態に装着し、取付け金具２Ａ，２Ｂの係止部２Ａｂ，２Ｂｂを、カーテンレールＡの両側上縁部にそれぞれ係止する。ネジ４及びナット５により取付け金具２Ａ，２Ｂの起立部２Ａｃ，２Ｂｃを互いに向かい合わせに当接した状態に連結固定して、カーテンレールＡを幅方向に挟持固定する。室内の天井部に対して略Ｉ字状及び略Ｖ字状に垂設した吊り具６…を、カーテンレールＡ上面に取り付けられたレール取付け金具１…に連結固定して、カーテンレールＡを天井部に沿って略水平に吊設するものである。【選択図】図２
2008093151.tif 000002
【特許請求の範囲】
【請求項１】
長尺のレールを構造物に垂設した吊り具に吊設する際に用いられるレール取付け金具であって、
上記レール取付け金具を、上記レールの両側上部に装着される左右一対の取付け金具で構成し、
上記各取付け金具の一方に、上記レールの一側上縁部に係止される係止部を形成し、
上記各取付け金具の他方に、該各取付け金具をレールの両側上部に装着した際に互いに当接される起立部を形成し、
上記レールの両側上部に装着した各取付け金具の起立部を互いに向かい合せに当接した状態に固定する固定手段を備えた
レール取付け金具。
【請求項２】
上記左右一対の取付け金具を同一の形状及び寸法に形成した
請求項１に記載のレール取付け金具。
【請求項３】
上記取付け金具を、１枚の金属板からなる金具本体を所定の形状及び寸法に折り曲げて形成した
請求項１又は２に記載のレール取付け金具。
【請求項４】
上記取付け金具の起立部上端に、上記レール上面と対向する方向に対して上記構造物に垂設した吊り具が連結される連結構造を設けた
請求項１又は２に記載のレール取付け金具。
【請求項５】
上記取付け金具の起立部上端に、上記レールと平行する方向に対して上記構造物に垂設した前後一対の吊り具が連結される連結構造を設けた
請求項１又は２に記載のレール取付け金具。
【請求項６】
上記取付け金具の起立部上端に、上記レールと直交する方向に対して上記構造物に垂設した左右一対の吊り具が連結される連結構造を設けた
請求項１又は２に記載のレール取付け金具。
【請求項７】
上記取付け金具の起立部上端に、上記レールと平行する方向に対して上記構造物に垂設した前後一対の吊り具が連結され、且つ、該レールと直交する方向に対して上記構造物に垂設した左右一対の吊り具が連結される連結構造を設けた
請求項１又は２に記載のレール取付け金具。
【発明の詳細な説明】
【技術分野】
【０００１】
この発明は、例えばカーテン、スクリーン、緞帳、絵画、広告、案内板等を吊り下げるためのレールを、建物（室内を含む）の天井部、梁部、枠部、Ｈ型鋼材等の構造物に吊設する際に用いられるレール取付け金具に関する。
【背景技術】
【０００２】
従来、上述のレールを室内の天井部に吊設する方法としては、例えばカーテンレール上部を室内の天井部に直接固定するか、天井部に垂設した２本の吊り具をカーテンレール上部に対してＶ字状に直接連結する等の引用文献１のカーテンレールの設置構造に開示される方法がある。しかし、天井部に傾斜や段差がある場合、カーテンレールを天井部に対して直接固定することができない。また、吊り具をカーテンレール上部に直接連結する場合、吊り具を連結するための連結板をカーテンレール上部に溶接したり、ネジ止めしたりするのに手間及び時間が掛かるだけでなく、連結板の位置や間隔が予め設定されているため、カーテンレールの長さに応じて、吊り具の位置や間隔を変更することができない。
【０００３】
また、カーテンレールの他の吊設方法としては、例えば図９に示すように、吊り金具１１を構成する金具本体１２ａの一方に形成した係止部１２ｂを、図中仮想線で示すカーテンレールＡの左側上縁部に形成した溝部Ａａに係止し、金具本体１２ａの他方下面に取付けた係止板１２ｃを、カーテンレールＡの右側上縁部に形成した溝部Ａａに係止した後、天井部に垂設した吊り具１３を金具本体１２ａ上面に立設した連結片１２ｄに連結固定して吊設する方法がある。しかし、係止板１２ｃを金具本体１２ａの他方下面に対してネジ止めしたり、連結片１２ｄを金具本体１２ａ上面に対して溶接しなければならない。また、金具本体１２ａと、係止板１２ｃと、連結片１２ｄを個々に製作するため、一つの吊り金具１１を製作するのに手間及び時間が掛かる。また、部品数及び工程数が多く、吊り金具１１の単価が高くなるという問題を有している。
【特許文献１】特開平１１−２９９６３７号公報
【発明の開示】
【発明が解決しようとする課題】
【０００４】
この発明は上記問題に鑑み、レールを吊設する作業が簡単且つ容易に行えるともに、レール吊設時に取り扱う部品数が少なくて済み、製作が容易で安価なレール取付け金具の提供を目的とする。
【課題を解決するための手段】
【０００５】
請求項１に記載した発明のレール取付け金具は、長尺のレールを構造物に垂設した吊り具に吊設する際に用いられるレール取付け金具であって、上記レール取付け金具を、上記レールの両側上部に装着される左右一対の取付け金具で構成し、上記各取付け金具の一方に、上記レールの一側上縁部に係止される係止部を形成し、上記各取付け金具の他方に、該各取付け金具をレールの両側上部に装着した際に互いに当接される起立部を形成し、上記レールの両側上部に装着した取付け金具の起立部を互いに向かい合わせに当接した状態に固定する固定手段を設けたことを特徴とする。
【０００６】
この発明によると、左右一対の取付け金具をレールの両側上部に装着して、一方の取付け金具の係止部をレールの一側上縁部に係止し、他方の取付け金具の係止部をレールの他側上縁部に係止する。固定手段により各取付け金具の起立部を互いに向かい合わせに当接した状態に連結固定して、レールを幅方向に挟持固定する。この後、予め構造物に垂設した複数本の吊り具を、レール上面に対して長さ方向へ所定間隔に隔てて取り付けられたレール取付け金具にそれぞれ連結固定して、レールを構造物に沿って吊設する。
【０００７】
なお、取付け金具は、レールの幅方向中央部を中心として、左右対称に取り付けられる形状及び寸法に形成した金具、或いは、同一の形状及び寸法に形成した金具を含むものである。また、左右一対の取付け金具は、レールの幅方向中央部を中心として、レールの左側上部と右側上部に対して略１８０度反転した逆向き状態に取り付けられる。また、レール取付け金具は、レール上面に対して構造物に垂設した吊り具と対応する間隔に隔てて取り付けられる。また、構造物に垂設した吊り具は、レールの長さや垂設箇所に応じて所定間隔に隔てて複数本垂設される。
【０００８】
上記レールは、例えばカーテンを開閉自在に吊設するためのカーテンレールで構成することができる。また、カーテンレールの他に、例えばスクリーン、緞帳、絵画、広告、案内板等を吊り下げるためのレールで構成することもできる。また、構造物は、例えば建物（室内を含む）の天井部、梁部、枠部、Ｈ型鋼材等で構成することができる。また、固定手段は、例えばネジ、ボルト、マグネット等で構成することができる。
【０００９】
請求項２に記載した発明のレール取付け金具は、上記請求項１に記載の構成と併せて、上記左右一対の取付け金具を同一の形状及び寸法に形成したことを特徴とする。
【００１０】
この発明によると、一つの取付け金具を製作すれば、右用及び左用の取付け金具として兼用することができる。
【００１１】
請求項３に記載した発明のレール取付け金具は、上記請求項１又は２に記載の構成と併せて、上記取付け金具を、１枚の金属板からなる金具本体を所定の形状及び寸法に折り曲げて形成したことを特徴とする。
【００１２】
この発明によると、取付け金具を、例えば鋼板等で構成される１枚の金属板からなる金具本体を所定の形状及び寸法に折り曲げて形成するので、従来例のように連結片を金具本体に溶接するような手間及び作業が省ける。
【００１３】
請求項４に記載した発明のレール取付け金具は、上記請求項１又は２に記載の構成と併せて、上記取付け金具の起立部上端に、上記レール上面と対向する方向に対して上記構造物に垂設した吊り具が連結される連結構造を設けたことを特徴とする。
【００１４】
この発明によると、構造部に垂設した吊り具を、レールに取り付けられた取付け金具の起立部上端に対して該レール上面と対向する方向に連結固定すれば、垂設した吊り具の突っ張り力が上下方向に作用するため、レールの吊設高さが上下方向へ変位するのを防止することができる。
【００１５】
請求項５に記載した発明のレール取付け金具は、上記請求項１又は２に記載の構成と併せて、上記取付け金具の起立部上端に、上記レールと平行する方向に対して上記構造物に垂設した前後一対の吊り具が連結される連結構造を設けたことを特徴とする。
【００１６】
この発明によると、構造物に垂設した前後一対の吊り具を、レールに取り付けられた取付け金具の起立部上端に対して該レールと平行する方向に連結固定すれば、前後一対の吊り具による突っ張り力が前後均等に作用するため、レールが上下方向へ変位及び長さ方向へ揺動するのを防止することができる。
【００１７】
請求項６に記載した発明のレール取付け金具は、上記請求項１又は２に記載の構成と併せて、上記取付け金具の起立部上端に、上記レールと直交する方向に対して上記構造物に垂設した左右一対の吊り具が連結される連結構造を設けたことを特徴とする。
【００１８】
この発明によると、構造物に垂設した左右一対の吊り具を、レールに取り付けられた取付け金具の起立部上端に対して該レールと直交する方向に連結固定すれば、左右一対の吊り具による突っ張り力が左右均等に作用するため、レールが上下方向へ変位及び幅方向へ揺動するのを防止することができる。
【００１９】
請求項７に記載した発明のレール取付け金具は、上記請求項１又は２に記載の構成と併せて、上記取付け金具の起立部上端に、上記レールと平行する方向に対して上記構造物に垂設した前後一対の吊り具が連結され、且つ、該レールと直交する方向に対して上記構造物に垂設した左右一対の吊り具が連結される連結構造を設けたことを特徴とする。
【００２０】
この発明によると、構造物に垂設した前後一対の吊り具を、レールに取り付けられた取付け金具の起立部上端に対して該レールと平行する方向に連結固定し、構造物に垂設した左右一対の吊り具を、レールに取り付けられた取付け金具の起立部上端に対して該レールと直交する方向に連結固定すれば、レール取付け金具が取り付けられたレールが上下方向、長さ方向、幅方向へ変位するのを防止することができる。
【発明の効果】
【００２１】
この発明によれば、レール取付け金具を構成する左右一対の取付け金具によりレールを幅方向に挟持固定するので、レール取付け金具をレール上面に取り付ける作業やレールを吊設する作業が簡単且つ容易に行え、作業性の向上を図ることができる。また、取付け金具を、１枚の金属板からなる金具本体を所定の形状及び寸法に折り曲げて形成するので、従来例のように係止板をネジ止めしたり、連結片を溶接したりする手間及び作業が省ける。且つ、製造工程が少なく、コストが大幅に削減されるため、安価な取付け金具を容易に製作することができる。
【００２２】
また、一対の取付け金具は同一の形状及び寸法を有しているので、一つの取付け金具を製作すれば、右用及び左用の取付け金具として兼用することができ、左用及び右用の金具を個々に製作する必要がなく、少なくとも一つの取付け金具を製作及び準備するだけでよいため、レール吊設時に取り扱う部品数が少なくて済み、管理及び保管が容易に行える。
【発明を実施するための最良の形態】
【００２３】
この発明は、レールを吊設する作業が簡単且つ容易に行えるとともに、レール吊設時に取り扱う部品数が少なくて済み、製作が容易で安価な取付け金具を提供することができるという目的を、左右一対の取付け金具によりレールを幅方向に挟持固定することで達成した。
【実施例】
【００２４】
この発明の一実施例を以下図面に基づいて詳述する。
【００２５】
図面は、レールの一例である長尺のカーテンレールを室内の天井部に吊設する際に用いられるレール取付け金具を示し、図１に於いて、このレール取付け金具１は、同一の形状及び寸法に形成した左右一対の取付け金具２Ａ，２Ｂと、取付け金具２Ａ，２Ｂを互いに当接した状態に連結固定するネジ４及びナット５で構成される。
【００２６】
レール取付け金具１は、カーテンレールＡの長さに応じて、カーテンレールＡ上面に対して長さ方向へ所定間隔に隔てて取り付けられる。また、カーテンレールＡ下面に形成した軌条Ａｂ，Ａｂ間には、複数のランナーＢ…が走行移動可能に挿入される。
【００２７】
取付け金具２Ａ，２Ｂは、同一の大きさ及び形状に形成した一対の金具本体２Ａａ，２Ｂａを、鋼板等を打ち抜いてなる１枚の金属板を図１に示す所定の形状及び寸法に折り曲げて形成している。また、金属板は、図１に示す取付け金具２Ａ，２Ｂの少なくとも一方の金具を略平坦な状態に展開してなる形状及び寸法に打ち抜いて形成している。
【００２８】
金具本体２Ａａ，２Ｂａの一方には、カーテンレールＡの両側上縁部に形成した溝部Ａａ，Ａａに対して直交する方向に係止される係止部２Ａｂ，２Ｂｂをそれぞれ形成している。係止部２Ａｂ，２Ｂｂは、金具本体２Ａａ，２Ｂａの一方を下方に向けて略直角に折り曲げた後、金具本体２Ａａ，２Ｂａの下面と対向する方向へ折り返して、カーテンレールＡの溝部Ａａに対して係止される斜め下向き角度に折り曲げ形成している。
【００２９】
係止部２Ａｂ，２Ｂｂの先端部は、カーテンレールＡの溝部Ａａに沿って略平行に係止される幅及び形状に形成している。つまり、カーテンレールＡの全長と平行して、金具本体２Ａａ，２Ｂａの係止部２Ａｂ，２Ｂｂを、カーテンレールＡの溝部Ａａに対して線接触又は面接触させた状態に係止するので、取付け金具２Ａ，２Ｂの取付け角度がカーテンレールＡ全長と直交する向き及び姿勢に規制され、ガタ付きのない状態に取付けられる。
【００３０】
金具本体２Ａａ，２Ｂａの他方には、カーテンレールＡの両側上部に装着された取付け金具２Ａ，２Ｂを互いに連結固定する際に当接される起立部２Ａｃ，２Ｂｃをそれぞれ形成している。起立部２Ａｃ，２Ｂｃは、金具本体２Ａａ，２Ｂａの他方を上方に向けて略直角に折り曲げて形成している。
【００３１】
起立部２Ａｃ，２Ｂｃの中央面には、ネジ４の挿通が許容される孔部２Ａｄ，２Ａｅと孔部２Ｂｄ，２Ｂｅを上下方向に所定間隔に隔ててそれぞれ開口している。
【００３２】
起立部２Ａｃの孔部２Ａｄ，２Ａｅと、起立部２Ｂｃの孔部２Ｂｄ，２Ｂｅは、図２、図３に示すように、カーテンレールＡの左側上縁部に装着した金具本体２Ａａの起立部２Ａｃと、右側上縁部に装着した金具本体２Ｂａの起立部２Ｂｃを互いに当接した際に連通される。
【００３３】
起立部２Ａｃ，２Ｂｃの孔部２Ａｄ，２Ｂｄ及び孔部２Ａｅ，２Ｂｅに連通したネジ４と、そのネジ４の突出側端部に螺着したナット５により、取付け金具２Ａ，２Ｂの起立部２Ａｃ，２Ｂｃを互いに向かい合わせに当接した状態に連結固定して、取付け金具２Ａ，２ＢによりカーテンレールＡを幅方向に挟持固定（図２〜図４参照）する。
【００３４】
起立部２Ａｃ，２Ｂｃの一側縁部には、構造物の一例である室内の天井部に垂設した棒状の吊り具６が連結される連結部２Ａｆ，２Ｂｆをそれぞれ連設している。連結部２Ａｆ，２Ｂｆは、金具本体２Ａａ，２Ｂａの他方と平行する方向に向けて略直角に折り曲げて、上方から見て略Ｌ字状に形成している。
【００３５】
連結部２Ａｆ，２Ｂｆの中央面には、ネジ４の挿通が許容される孔部２Ａｇ，２Ｂｇをそれぞれ開口している。
【００３６】
図示実施例は上記の如く構成するものにして、以下、レール取付け金具１によるカーテンレールＡの吊設方法を説明する。
【００３７】
先ず、カーテンレールＡを室内の天井部に沿って略水平に吊設する場合、複数のレール取付け金具１…を、カーテンレールＡ上面に対して長さ方向へ所定間隔に隔てて取り付けた後、側方から見て略Ｉ字状に垂設した１本の吊り具６（図５参照）と、側方から見て略Ｖ字状に垂設した吊り具６，６（図６参照）と、前方から見て略Ｖ字状に垂設した吊り具６，６（図７参照）を、カーテンレールＡ上面に取り付けたレール取付け金具１…に連結固定する。
【００３８】
なお、レール取付け金具１は、カーテンレールＡ上面に対して、予め天井部に垂設した略Ｉ字状や略Ｖ字状の吊り具６と対応する間隔に隔てて取り付けられる。また、吊り具６は、カーテンレールＡの長さや垂設箇所に応じて所定間隔に隔てて複数本垂設される。
【００３９】
レール取付け金具１を、カーテンレールＡ上面に取り付ける場合、図２、図３に示すように、同一の形状及び寸法に形成した取付け金具２Ａ，２Ｂ（図１参照）を、カーテンレールＡの幅方向中央部を中心として、カーテンレールＡの左側上部と右側上部に対して略１８０度反転した逆向き状態に装着するとともに、取付け金具２Ａ，２Ｂの係止部２Ａｂ，２Ｂｂを、カーテンレールＡの両側上縁部に形成した溝部Ａａ，Ａａにそれぞれ係止する。
【００４０】
取付け金具２Ａの起立部２Ａｃと、取付け金具２Ｂの起立部２Ｂｃを互いに当接して、起立部２Ａｃの孔部２Ａｄ，２Ａｅと、起立部２Ｂｃの孔部２Ｂｄ，２Ｂｅを連通した後、ネジ４及びナット５により、取付け金具２Ａ，２Ｂの起立部２Ａｃ，２Ｂｃを互いに向かい合わせに当接した状態に連結固定して、取付け金具２Ａ，２ＢによりカーテンレールＡを幅方向に挟持固定（図２〜図４参照）する。
【００４１】
側方から見て略Ｉ字状（カーテンレールＡに対して幅方向又は長さ方向から見て）に垂設した吊り具６をレール取付け金具１に連結する場合、図５に示すように、取付け金具２Ａ，２ＢをカーテンレールＡの両側上部に装着した後、１本のネジ４を起立部２Ａｃ，２Ｂｃの孔部２Ａｄ，２Ｂｄに挿通して、ネジ４及びナット５により取付け金具２Ａ，２Ｂの起立部２Ａｃ，２Ｂｃを互いに向かい合わせに当接した状態に連結固定する。
【００４２】
１本のネジ４を起立部２Ａｃ，２Ｂｃの孔部２Ａｅ，２Ｂｅに挿通して、カーテンレールＡ上方の天井部に垂設した１本の吊り具６を、カーテンレールＡ上面と対向して取付け金具２Ａ，２Ｂの起立部２Ａｃ，２Ｂｃ上端に対してネジ４及びナット５により連結固定すれば、略Ｉ字状に垂設した吊り具６の突っ張り力が上下方向に作用するため、カーテンレールＡの吊設高さが上下方向へ変位するのを防止することができる。
【００４３】
側方から見て略Ｖ字状（カーテンレールＡに対して幅方向から見て）に垂設した前後一対の吊り具６，６をレール取付け金具１に連結する場合、図６に示すように、取付け金具２Ａ，２ＢをカーテンレールＡの両側上部に装着した後、１本のネジ４を起立部２Ａｃ，２Ｂｃの孔部２Ａｄ，２Ｂｄに挿通して、ネジ４及びナット５により取付け金具２Ａ，２Ｂの起立部２Ａｃ，２Ｂｃを互いに向かい合わせに当接した状態に連結固定する。
【００４４】
カーテンレールＡ上方の天井部に垂設した前後一対の吊り具６，６を、カーテンレールＡと平行して取付け金具２Ａ，２Ｂの起立部２Ａｃ，２Ｂｃ上端に対してネジ４及びナット５により連結固定すれば、前後一対の吊り具６，６による突っ張り力が前後均等に作用するため、カーテンレールＡが上下方向へ変位及び長さ方向へ揺動するのを防止することができる。
【００４５】
前方から見て略Ｖ字状（カーテンレールＡに対して長さ方向から見て）に垂設した左右一対の吊り具６，６をレール取付け金具１に連結する場合、図７に示すように、取付け金具２Ａ，２ＢをカーテンレールＡの両側上部に装着した後、２本のネジ４，４を起立部２Ａｃ，２Ｂｃの孔部２Ａｄ，２Ｂｄと孔部２Ａｅ，２Ｂｅに挿通して、ネジ４，４及びナット５，５により取付け金具２Ａ，２Ｂの起立部２Ａｃ，２Ｂｃを互いに向かい合わせに当接した状態に連結固定する。
【００４６】
２本のネジ４，４を連結部２Ａｆ，２Ｂｆの孔部２Ａｇ，２Ｂｇにそれぞれ挿通して、カーテンレールＡ上方の天井部に垂設した左右一対の吊り具６，６を、カーテンレールＡと直交して左側取付け金具２Ａの連結部２Ａｆと、右側取付け金具２Ｂの連結部２Ｂｆに対してネジ４及びナット５により連結固定すれば、左右一対の吊り具６，６による突っ張り力が左右均等に作用するため、カーテンレールＡが上下方向へ変位及び幅方向へ揺動するのを防止することができる。
【００４７】
また、図５に示す略Ｉ字状に垂設した吊り具６と、図６及び図７に示す略Ｖ字状に垂設した吊り具６，６を組み合わせて、カーテンレールＡ全長に対して交互に配置し、カーテンレールＡ上面に取り付けたレール取付け金具１…にそれぞれ連結固定すれば、カーテンレールＡ全長が上下方向、長さ方向、幅方向へ変位するのを防止することができる。或いは、図６及び図７に示す略Ｖ字状に垂設した吊り具６，６をカーテンレールＡ全長に対して交互に組み合わせて配置してもよい。
【００４８】
また、図６及び図７に示す略Ｖ字状に垂設した吊り具６，６を、カーテンレールＡ上面に取り付けたレール取付け金具１…に対して上方から見て略十字状となるように連結固定してもよい。
【００４９】
また、図５に示す略Ｉ字状に垂設した吊り具６を、図６又は図７に示す略Ｖ字状に垂設した吊り具６，６と組み合わせて、カーテンレールＡ上面に取り付けたレール取付け金具１…に連結固定してもよい。
【００５０】
以上のように、レール取付け金具１を構成する一対の取付け金具２Ａ，２ＢによりカーテンレールＡを幅方向に挟持固定するので、レール取付け金具１をカーテンレールＡ上面に取り付ける作業やカーテンレールＡを吊設する作業が簡単且つ容易に行え、作業性の向上を図ることができる。また、取付け金具２Ａ，２Ｂを、１枚の金属板からなる金具本体２Ａａ，２Ｂａを図１に示す所定の形状及び寸法に折り曲げて形成するので、従来例のように係止板１２ｃをネジ止めしたり、連結片１２ｄを溶接したりする手間及び作業が省ける。且つ、従来例の吊り金具よりも製造工程が少なくなり、コストが大幅に削減されるため、安価に製作することができる。
【００５１】
また、取付け金具２Ａ，２Ｂは同一の形状及び寸法を有しているので、左用及び右用の金具を個々に製作しなくても、取付け金具２Ａ，２Ｂのいずれか一方を右用及び左用の金具として兼用することができ、少なくとも一方の取付け金具２Ａ，２Ｂを製作及び準備するだけで済むため、レール吊設時に取り扱う部品数が少なくなり、管理及び保管が容易に行える。
【００５２】
また、カーテンレールＡ上面に固定したレール取付け金具１…を、天井部に垂設した複数本の吊り具６…に連結固定するので、従来例のように吊り金具１１に取り付けた係止板１２ｃを、カーテンレールＡの右側溝部Ａａに係止した後、金具本体１２ａの下方からネジ止めするような作業及び手間が省け、カーテンレールＡを吊設する作業が短時間で行える。
【００５３】
図８は、図２に示す厚肉及び幅広のカーテンレールＡよりも、薄肉及び幅狭のカーテンレールＡ１を吊設する際に用いられるレール取付け金具１の他の例を示すものである。なお、前記実施例と同一構成の部分は同一の符号を記してその詳細な説明を省略する。
【００５４】
取付け金具２Ａ，２Ｂを構成する金具本体２Ａａ，２Ｂａの係止部２Ａｂ，２Ｂｂは、金具本体２Ａａ，２Ｂａの一方を下方に向けて略直角に折り曲げた後、金具本体２Ａａ，２Ｂａ下面と対向する方向へ略直角に折り曲げて、カーテンレールＡ１の溝部Ａａに対して係止される角度に折り曲げ形成している。
【００５５】
カーテンレールＡ１の両側上部に装着した取付け金具２Ａ，２Ｂの係止部２Ａｂ，２Ｂｂを、カーテンレールＡ１の両側上縁部に形成した溝部Ａａ，Ａａに係止した後、ネジ４及びナット５により、取付け金具２Ａ，２Ｂの起立部２Ａｃ，２Ｂｃを互いに向かい合わせに当接した状態に連結固定して、取付け金具２Ａ，２ＢによりカーテンレールＡ１を幅方向に挟持固定するので、上記実施例と略同等の作用及び効果を奏することができる。
【００５６】
この発明の構成と、上述の実施例との対応において、  
この発明のレールは、実施例のカーテンレールＡ，Ａ１に対応し、  
以下同様に、  
構造物は、室内の天井部に対応し、  
連結構造は、連結部２Ａｆ，２Ｂｆと、孔部２Ａｅ，２Ｂｅ，２Ａｇ，２Ｂｇに対応し、  
固定手段は、ネジ４と、ナット５に対応するも、  
この発明は、上述の実施例の構成のみに限定されるものではなく、請求項に示される技術思想に基づいて応用することができ、多くの実施の形態を得ることができる。
【産業上の利用可能性】
【００５７】
本発明のレール取付け金具は、カーテンレールの他に、例えば絵画、広告、案内板等を吊り下げるためのレールを吊設する際にも用いることができる。
【図面の簡単な説明】
【００５８】
【図１】レール取付け金具の分離状態を示す斜視図。
【図２】レール取付け金具の取付け状態を示す断面図。
【図３】レール取付け金具の取付け状態を示す平面図。
【図４】レール取付け金具の取付け状態を示す斜視図。
【図５】上下方向への変位を防止する際の吊設方法を示す説明図。
【図６】長さ方向への揺動を防止する際の吊設方法を示す説明図。
【図７】幅方向への揺動を防止する際の吊設方法を示す説明図。
【図８】他の例のレール取付け金具の取付け状態を示す断面図。
【図９】従来例のレール取付け金具を示す斜視図。
【符号の説明】
【００５９】
Ａ，Ａ１…カーテンレール
Ａａ…溝部
１…レール取付け金具
２Ａ，２Ｂ…取付け金具
２Ａａ，２Ｂａ…金具本体
２Ａｂ，２Ｂｂ…係止部
２Ａｃ，２Ｂｃ…起立部
２Ａｄ，２Ｂｄ…孔部
２Ａｅ，２Ｂｅ…孔部
２Ａｆ，２Ｂｆ…連結部
２Ａｇ，２Ｂｇ…孔部
４…ネジ
５…ナット
６…吊り具
【図１】
2008093151.tif 000003
【図２】
2008093151.tif 000004
【図３】
2008093151.tif 000005
【図４】
2008093151.tif 000006
【図５】
2008093151.tif 000007
【図６】
2008093151.tif 000008
【図７】
2008093151.tif 000009
【図８】
2008093151.tif 000010
【図９】
2008093151.tif 000011